(57)【要約】【課題】  筐体の開口から侵入する静電気による内部電子回のを静電破壊を防止する。【解決手段】  筐体１１の内面には、非導電体の表面に金属メッキを施した導電板１３を密着してある。導電板１３は、電子機器内のアースに相当する箇所に電気的に接続している。操作ボタン１２の近傍にスピーカ１６が配置され、スピーカ１６の正面に相当する筐体１１の部分に開口１１ａが形成され、導電板１３には開口１３ａが形成されている。開口部１１ａから導電板１３までの最短経路Ｌ１と、開口部１１ａからスピーカ１６までの最短経路Ｌ２がＬ１＜Ｌ２となるように、スピーカ１６を配置する。【選択図】  図２
2008027639.tif 000002
【特許請求の範囲】
【請求項１】
非導電性筐体に配置される操作部材と、
当該非導電性筐体に配置される当該開口部と、
当該開口部の、当該非導電性筐体の内側に配置され、所定電位に接続される導電体であって、当該開口部と連通する開口部を具備する導電体
とを具備することを特徴とする電子機器。
【発明の詳細な説明】
【技術分野】
【０００１】
本発明は、電子機器に関し、より具体的には、静電対策を施された電気機器に関する。
【背景技術】
【０００２】
オーディオ機器、ビデオ機器、テレビ、カメラ、コンピュータ及びその周辺機器等の電子機器では、操作部と操作部の近くに配置されている開口部から静電気が侵入し、内部のプリント基板に搭載された電子部品がその静電気により破壊されることがある。即ち、指で操作する電子機器の操作部で人間との間に静電気の電荷が発生し、操作部材の近傍の開口部や隙間から放電の形で電子機器の内部に侵入し、しばしば電子部品を破壊する原因となっていた。
【０００３】
このような操作部材の近傍の開口部の静電破壊の問題を解決する手段として、筐体を導電性材料で形成し、筐体の表面を被覆している絶縁皮膜の一部を削り取る等の手段により導通面を露出させ、この導通面から筐体に静電気を逃がすようにした技術がある（たとえば、特許文献１参照）。
【０００４】
筐体が非導電性部材で形成された静電対策として、特許文献２に示されるように、開口部分を囲むように線状導体を配置する構成が知られている。
【特許文献１】特開２０００−３２３２９５号公報
【特許文献２】特開平５−３２７２５９号公報
【発明の開示】
【発明が解決しようとする課題】
【０００５】
特許文献１に記載の静電対策は、筐体が非導電性部材によって形成されているときには、適用できない。
【０００６】
特許文献２に記載の静電対策では、全ての開口や隙間に線状導体を配置しなければならず、部品数と組立の手間が増えてしまう。
【０００７】
本発明は、このような不都合を解消し、低コストで効率的に静電気に対応できる電子機器を提示することを目的とする。
【課題を解決するための手段】
【０００８】
本発明に係る電子機器は、非導電性筐体に配置される操作部材と、当該非導電性筐体に配置される当該開口部と、当該開口部の、当該非導電性筐体の内側に配置され、所定電位に接続される導電体であって、当該開口部と連通する開口部を具備する導電体とを具備することを特徴とする。
【発明の効果】
【０００９】
本発明によれば、非導電性筐体の開口部から侵入してくる静電気を、当該非導電性筐体の内側に配置された導電体に引き寄せる。これにより、内部の電子機器がこの静電気で破壊されるのを防止できる。
【発明を実施するための最良の形態】
【００１０】
以下、図面を参照して、本発明の実施例を詳細に説明する。
【実施例１】
【００１１】
図１は、本発明の第１実施例の外観図を示す。図１に示すように、カメラ本体１０の筐体１１には、複数の操作ボタン１２、撮影レンズ（図示せず）、画像確認用の表示装置（図示せず）、及び、把持用グリップ等が配置され、内部には、映像音声を記録再生する記録再生装置が装備されている。
【００１２】
図２は、本実施例の操作ボタン１２の周辺の断面図を示す。筐体１１の内面には、非導電体の表面に金属メッキを施した導電板１３を密着してある。導電板１３は、電子機器内のアースに相当する箇所に電気的に接続している。導電板１３は、各操作ボタン１２の周囲では、リング状に筐体１１内に入りこみ、操作ボタン１２の軸受けともなっている。操作ボタン１２は、導電板１３のリング部分でその中心軸方向に移動自在である。操作ボタン１２の下側に電気スイッチ１４が配置され、電気スイッチ１４自体は、回路基板１５に固定されている。操作ボタン１２を押し込むことで、電気スイッチ１４がオンからオフ又はオフからオンに切り替わる。
【００１３】
操作ボタン１２の近傍にスピーカ１６が配置され、スピーカ１６の正面に相当する筐体１１の部分に開口１１ａが形成され、導電板１３には開口１３ａが形成されている。スピーカ１６は図示しない部品よりその場所に保持されている。
【００１４】
操作ボタン１２を指で触る、特にこすると、操作ボタン１２と指との間に静電気が発生して、操作ボタン１２の近傍の開口部１１ａから放電の形で電子機器の内部に侵入してくる。
【００１５】
本実施例では、開口部１１ａから導電板１３までの最短経路Ｌ１と、開口部１１ａからスピーカ１６までの最短経路Ｌ２がＬ１＜Ｌ２となるように、スピーカ１６を配置する。これにより、開口１１ａから侵入する静電気は、スピーカ１６に到達する前に、導電板１３に捕捉され、スピーカ１６が静電気により破壊されるのを防止できる。
【実施例２】
【００１６】
図３は、本発明の第２実施例の外観図を示す。図４は、本実施例の主要部分の断面図を示す。
【００１７】
図３に示すように、カメラ本体２０の筐体２１には、複数の操作ボタン２２、撮影レンズ（図示せず）、画像確認用の表示装置（図示せず）、及び、把持用グリップ等が配置され、内部には、映像音声を記録再生する記録再生装置が装備されている。
【００１８】
図４は、本実施例の操作ボタン２２の周辺の断面図を示す。本実施例では、操作ボタン２２は、導電性材料からなるか、少なくともその表面に金属メッキを施すことで導電性にしてあり、電子機器内のアースに相当する箇所に電気的に接続している。操作ボタン２２は、筐体２１に対して内部方向に移動自在である。操作ボタン２２の下側に電気スイッチ１４が配置され、電気スイッチ２４自体は、回路基板２５に固定されている。操作ボタン２２を押し込むことで、電気スイッチ２４がオンからオフ又はオフからオンに切り替わる。
【００１９】
操作ボタン２２の筐体２１に内側には、筐体２２からの抜け落ちを防止するように大きくなったベース２２ａがある。ベース２２ａは、操作ボタン２２の近傍に配置されるスピーカ２６を超える位置まで延在する。スピーカ２６の正面に相当する筐体２１の部分に開口２１ａが形成され、ベース２２ａには、開口２２ｂが形成されている。スピーカ２６は図示しない部品よりその場所に保持されている。
【００２０】
操作ボタン２２を指で触る、特にこすると、操作ボタン２２と指との間に静電気が発生して、操作ボタン２２の近傍の開口部２１ａから放電の形で電子機器の内部に侵入してくる。
【００２１】
本実施例では、開口部２１ａからベース部２２ａまでの最短経路Ｌ３と、開口部２１ａからスピーカ２６までの最短経路Ｌ４がＬ３＜Ｌ４となるように、スピーカ２６を配置する。これにより、開口２１ａから侵入する静電気は、スピーカ２６に到達する前に、ベース部２２ａに捕捉され、スピーカ２６が静電気により破壊されるのを防止できる。
【００２２】
上記各実施例では、導電板１３及びベース部２２ａの表面に金属メッキをしたと説明したが、素材を金属としたものや、非金属材料に導電性材料を混入したものでもよい。
【００２３】
また、本発明は、スピーカのための開口のみならず、マイク用の開口、イヤフォンジャック用の開口、放熱対策用の開口、又は、外観デザイン上開けられた開口に対しても、適用可能である。また、ビデオカメラ以外の電子機器にも適用可能である。
【図面の簡単な説明】
【００２４】
【図１】本発明の第１実施例の外観図である。
【図２】図１に示す実施例の要部断面図である。
【図３】本発明の第２実施例の外観図である。
【図４】図３に示す実施例の要部断面図である。
【符号の説明】
【００２５】
１０：カメラ本体
１１：筐体
１１ａ：開口部
１２：操作ボタン
１３：導電板
１３ａ：開口部
１４：スイッチ
１５：回路基板
１６：スピーカ
２０：カメラ本体
２１：筐体
２１ａ：開口部
２２：操作ボタン
２２ａ：ベース部
２２ｂ：開口部
２４：スイッチ
２５：回路基板
２６：スピーカ
【図１】
2008027639.tif 000003
【図２】
2008027639.tif 000004
【図３】
2008027639.tif 000005
【図４】
2008027639.tif 000006